(57)【要約】【課題】外部インターフェイスを利用して外部機器と接続されている状態において、外部機器を操作するための信号が競合しないように制御する電子機器、制御方法及びプログラムを提供すること。【解決手段】外部機器に接続される外部インターフェイス１４と、外部インターフェイス１４が外部機器に接続された場合、外部機器に備えられている所定の通信部により受信した信号にしたがって動作しないように外部機器を制御する制御部２１とを備える。【選択図】図３
2014078810.tif 000002
【特許請求の範囲】
【請求項１】
外部機器に接続される接続部と、
前記接続部が前記外部機器に接続された場合、前記外部機器に備えられている所定の通信部により受信した信号にしたがって動作しないように前記外部機器を制御する制御部とを備える電子機器。
【請求項２】
前記外部機器に備えられている所定の通信部と同じ規格に準拠する信号を受信する受信部を備え、
前記制御部は、前記接続部が前記外部機器に接続された場合、前記外部機器に備えられている所定の通信部により受信した信号にしたがって動作しないように前記外部機器を制御し、
前記受信部で受信した信号を前記接続部を介して前記外部機器に送信し、当該信号にしたがって動作するように前記外部機器を制御する請求項１記載の電子機器。
【請求項３】
外部機器に接続される接続部と、
前記外部機器に備えられている所定の通信部が受信する所定の規格に準拠した信号と、同一の信号を受信する受信部と、
前記接続部が前記外部機器に接続された状態において、前記所定の規格に準拠した信号を送信する信号送信装置から送信された認識用信号を前記受信部で受信できた場合には、前記所定の通信部により受信した操作信号にしたがって動作しないように前記外部機器を制御し、
前記認識用信号を前記受信部で受信できなかった場合には、前記受信部により受信した操作信号を前記外部機器に送信しないように制御する制御部とを備える電子機器。
【請求項４】
前記制御部は、前記外部機器に備えられている所定の通信部により受信する操作信号にしたがって動作しないように前記外部機器を制御した場合、
前記受信部で受信した信号を前記接続部を介して前記外部機器に送信し、当該信号にしたがって動作するように前記外部機器を制御する請求項３記載の電子機器。
【請求項５】
電池電圧を監視する監視部を備え、
前記制御部は、前記所定の通信部により受信した信号にしたがって動作しないように前記外部機器を制御した後、前記監視部により監視した前記電池電圧が所定の閾値以下になった場合には、前記所定の通信部により受信した信号にしたがって動作するように前記外部機器を制御し、前記受信部により受信した信号を前記外部機器に送信しないように制御する請求項２又は４に記載の電子機器。
【請求項６】
接続部が、外部機器に接続された場合、前記外部機器に備えられている所定の通信部により受信した信号にしたがって動作しないように前記外部機器を制御する制御工程を備える制御方法。
【請求項７】
接続部が、外部機器に接続された場合、前記外部機器に備えられている所定の通信部により受信した信号にしたがって動作しないように前記外部機器を制御する制御工程をコンピュータに実行させるためのプログラム。
【請求項８】
接続部が、外部機器に接続された状態において、所定の規格に準拠した信号を送信する信号送信装置から送信された認識用信号を受信部で受信できた場合には、前記外部機器に備えられている前記所定の規格に準拠した信号を受信する所定の通信部により受信した操作信号にしたがって動作しないように前記外部機器を制御する第１制御工程と、
前記認識用信号を前記受信部で受信できなかった場合には、前記受信部により受信した操作信号を前記外部機器に送信しないように制御する第２制御工程とを備える制御方法。
【請求項９】
接続部が、外部機器に接続された状態において、所定の規格に準拠した信号を送信する信号送信装置から送信された認識用信号を受信部で受信できた場合には、前記外部機器に備えられている前記所定の規格に準拠した信号を受信する所定の通信部により受信した操作信号にしたがって動作しないように前記外部機器を制御する第１制御工程と、
前記認識用信号を前記受信部で受信できなかった場合には、前記受信部により受信した操作信号を前記外部機器に送信しないように制御する第２制御工程とをコンピュータに実行させるためのプログラム。
【発明の詳細な説明】
【技術分野】
【０００１】
本発明は、外部機器に接続される接続部を有する電子機器と、当該電子機器を制御する制御方法及びプログラムに関する。
【背景技術】
【０００２】
携帯端末等とテレビとを接続するためのインターフェイスとして、ＨＤＭＩ（登録商標）規格が存在する。
携帯端末等とテレビとが、ＨＤＭＩ規格を採用したインターフェイスで接続されている場合には、例えば、携帯端末等に保存されているコンテンツをテレビへ送信し、当該コンテンツをテレビで表示させることができる（例えば、特許文献１を参照）。
【０００３】
また、近年、ＨＤＭＩ規格をベースとしたＭＨＬ（登録商標）規格も存在している。
ＭＨＬとは、携帯端末向けの高速映像伝送用のインターフェイス規格である。ＭＨＬは、非圧縮なまま水平解像度が１０８０ｐで、３０ｆｐｓの動画データを３端子でテレビに伝送することができる。なお、実際には、ＭＨＬは、５端子を持つＵＳＢコネクタを流用している。
【０００４】
このようにして、ＭＨＬを採用した場合、汎用コネクタであるＵＳＢコネクタを使用してテレビと接続することができるメリットがある。
【先行技術文献】
【特許文献】
【０００５】
【特許文献１】特開２０１１−０９１６９９号公報
【発明の概要】
【発明が解決しようとする課題】
【０００６】
ところで、携帯端末とテレビとをＭＨＬ規格等に準拠したインターフェイスによって接続している状態において、例えば、テレビ側だけでなく携帯端末側にも赤外線信号を受信する受信部が備えられている場合、リモコンで操作した内容が二つのルートでテレビの制御部に到達し、競合する可能性がある。
【０００７】
本発明は、外部インターフェイスを利用して外部機器と接続されている状態において、外部機器を操作するための信号が競合しないように制御する電子機器、制御方法及びプログラムを提供することを目的とする。
【課題を解決するための手段】
【０００８】
本発明に係る電子機器は、外部機器に接続される接続部と、前記接続部が前記外部機器に接続された場合、前記外部機器に備えられている所定の通信部により受信した信号にしたがって動作しないように前記外部機器を制御する制御部とを備える構成である。
【０００９】
電子機器では、前記外部機器に備えられている所定の通信部と同じ規格に準拠する信号を受信する受信部を備え、前記制御部は、前記接続部が前記外部機器に接続された場合、前記外部機器に備えられている所定の通信部により受信した信号にしたがって動作しないように前記外部機器を制御し、前記受信部で受信した信号を前記接続部を介して前記外部機器に送信し、当該信号にしたがって動作するように前記外部機器を制御する構成でもよい。
【００１０】
本発明に係る電子機器は、外部機器に接続される接続部と、前記外部機器に備えられている所定の通信部が受信する所定の規格に準拠した信号と、同一の信号を受信する受信部と、前記接続部が前記外部機器に接続された状態において、前記所定の規格に準拠した信号を送信する信号送信装置から送信された認識用信号を前記受信部で受信できた場合には、前記所定の通信部により受信した操作信号にしたがって動作しないように前記外部機器を制御し、前記認識用信号を前記受信部で受信できなかった場合には、前記受信部により受信した操作信号を前記外部機器に送信しないように制御する制御部とを備える構成である。
【００１１】
電子機器では、前記制御部は、前記外部機器に備えられている所定の通信部により受信する操作信号にしたがって動作しないように前記外部機器を制御した場合、前記受信部で受信した信号を前記接続部を介して前記外部機器に送信し、当該信号にしたがって動作するように前記外部機器を制御する構成でもよい。
【００１２】
電子機器では、電池電圧を監視する監視部を備え、前記制御部は、前記所定の通信部により受信した信号にしたがって動作しないように前記外部機器を制御した後、前記監視部により監視した前記電池電圧が所定の閾値以下になった場合には、前記所定の通信部により受信した信号にしたがって動作するように前記外部機器を制御し、前記受信部により受信した信号を前記外部機器に送信しないように制御する構成でもよい。
【００１３】
本発明に係る制御方法は、接続部が、外部機器に接続された場合、前記外部機器に備えられている所定の通信部により受信した信号にしたがって動作しないように前記外部機器を制御する制御工程を備える構成である。
【００１４】
本発明に係るプログラムは、接続部が、外部機器に接続された場合、前記外部機器に備えられている所定の通信部により受信した信号にしたがって動作しないように前記外部機器を制御する制御工程をコンピュータに実行させるためのものである。
【００１５】
本発明に係る制御方法は、接続部が、外部機器に接続された状態において、所定の規格に準拠した信号を送信する信号送信装置から送信された認識用信号を受信部で受信できた場合には、前記外部機器に備えられている前記所定の規格に準拠した信号を受信する所定の通信部により受信した操作信号にしたがって動作しないように前記外部機器を制御する第１制御工程と、前記認識用信号を前記受信部で受信できなかった場合には、前記受信部により受信した操作信号を前記外部機器に送信しないように制御する第２制御工程とを備える構成である。
【００１６】
本発明に係るプログラムは、接続部が、外部機器に接続された状態において、所定の規格に準拠した信号を送信する信号送信装置から送信された認識用信号を受信部で受信できた場合には、前記外部機器に備えられている前記所定の規格に準拠した信号を受信する所定の通信部により受信した操作信号にしたがって動作しないように前記外部機器を制御する第１制御工程と、前記認識用信号を前記受信部で受信できなかった場合には、前記受信部により受信した操作信号を前記外部機器に送信しないように制御する第２制御工程とをコンピュータに実行させるためのものである。
【発明の効果】
【００１７】
本発明によれば、外部インターフェイスを利用して外部機器と接続されている状態において、外部機器を操作するための信号が競合しないように制御することができる。
【図面の簡単な説明】
【００１８】
【図１】実施形態に係るスマートフォンの外観を示す斜視図である。
【図２】実施形態に係るスマートフォンの外観を示す背面図である。
【図３】スマートフォンの構成を示すブロック図である。
【図４】外部機器とスマートフォンがケーブルで接続されている様子を示す図である。
【図５】ケーブルの構成を示す図である。
【図６】スマートフォンの動作についての説明に供するフローチャートである。
【発明を実施するための形態】
【００１９】
本発明を実施するための実施形態を、図面を参照しつつ詳細に説明する。以下では、電子機器の一例として、スマートフォンについて説明する。
【００２０】
図１及び図２を参照しながら、実施形態に係るスマートフォン１の外観について説明する。図１及び図２に示すように、スマートフォン１は、ハウジング２０を有する。ハウジング２０は、フロントフェイス１Ａと、バックフェイス１Ｂと、サイドフェイス１Ｃ１〜１Ｃ４とを有する。フロントフェイス１Ａは、ハウジング２０の正面である。バックフェイス１Ｂは、ハウジング２０の背面である。サイドフェイス１Ｃ１〜１Ｃ４は、フロントフェイス１Ａとバックフェイス１Ｂとを接続する側面である。以下では、サイドフェイス１Ｃ１〜１Ｃ４を、どの面であるかを特定することなく、サイドフェイス１Ｃと総称することがある。
【００２１】
スマートフォン１は、タッチスクリーンディスプレイ２と、ボタン３Ａ〜３Ｃと、照度センサ４と、近接センサ５と、レシーバ７と、マイク８と、カメラ１２とをフロントフェイス１Ａに有する。スマートフォン１は、カメラ１３をバックフェイス１Ｂに有する。スマートフォン１は、ボタン３Ｄ〜３Ｆと、外部インターフェイス１４とをサイドフェイス１Ｃに有する。以下では、ボタン３Ａ〜３Ｆを、どのボタンであるかを特定することなく、ボタン３と総称することがある。
【００２２】
タッチスクリーンディスプレイ２は、ディスプレイ２Ａと、タッチスクリーン２Ｂとを有する。ディスプレイ２Ａは、液晶ディスプレイ（Ｌｉｑｕｉｄ  Ｃｒｙｓｔａｌ  Ｄｉｓｐｌａｙ）、有機ＥＬパネル（Ｏｒｇａｎｉｃ  Ｅｌｅｃｔｒｏ−Ｌｕｍｉｎｅｓｃｅｎｃｅ  ｐａｎｅｌ）、又は無機ＥＬパネル（Ｉｎｏｒｇａｎｉｃ  Ｅｌｅｃｔｒｏ−Ｌｕｍｉｎｅｓｃｅｎｃｅ  ｐａｎｅｌ）等の表示デバイスにより構成される。ディスプレイ２Ａは、文字、画像、記号又は図形等を表示する。
【００２３】
タッチスクリーン２Ｂは、タッチスクリーンディスプレイ２に対する指、又はスタイラスペン等の接触を検出する。タッチスクリーン２Ｂは、複数の指、又はスタイラスペン等がタッチスクリーンディスプレイ２に接触した位置を検出することができる。
【００２４】
タッチスクリーン２Ｂの検出方式は、静電容量方式、抵抗膜方式、表面弾性波方式（又は超音波方式）、赤外線方式、電磁誘導方式、及び荷重検出方式等の任意の方式でよい。以下では、説明を簡単にするため、タッチスクリーン２Ｂがタッチスクリーンディスプレイ２に対する接触を検出する指、又はスタイラスペン等を単に「指」ということがある。
【００２５】
スマートフォン１は、タッチスクリーン２Ｂにより検出された接触、接触位置、接触時間又は接触回数に基づいてジェスチャの種別を判別する。ジェスチャは、タッチスクリーンディスプレイ２に対して行われる操作である。スマートフォン１によって判別されるジェスチャには、タッチ、ロングタッチ、リリース、スワイプ、タップ、ダブルタップ、ロングタップ、ドラッグ、フリック、ピンチイン、ピンチアウト等が含まれる。
【００２６】
スマートフォン１は、タッチスクリーン２Ｂを介して判別するこれらのジェスチャにしたがって動作を行う。したがって、利用者にとって直感的で使いやすい操作性が実現される。判別されるジェスチャにしたがってスマートフォン１が行う動作は、タッチスクリーンディスプレイ２に表示されている画面に応じて異なる。
【００２７】
ボタン３は、利用者によって操作される。ボタン３は、ボタン３Ａ〜ボタン３Ｆを有する。コントローラ１０はボタン３と協働することによってボタンに対する操作を検出する。ボタンに対する操作は、例えば、クリック、ダブルクリック、プッシュ、及びマルチプッシュである。
【００２８】
例えば、ボタン３Ａ〜３Ｃは、ホームボタン、バックボタン又はメニューボタンである。例えば、ボタン３Ｄは、スマートフォン１のパワーＯＮ／ＯＦＦボタンである。ボタン３Ｄは、スリープ／スリープ解除ボタンを兼ねてもよい。例えば、ボタン３Ｅ及び３Ｆは、音量ボタンである。
【００２９】
照度センサ４は、照度を検出する。例えば、照度とは、光の強さ、明るさ、輝度等である。照度センサ４は、例えば、ディスプレイ２Ａの輝度の調整に用いられる。
【００３０】
近接センサ５は、近隣の物体の存在を非接触で検出する。近接センサ５は、例えば、タッチスクリーンディスプレイ２が顔に近付けられたことを検出する。
【００３１】
レシーバ７は、コントローラ１０から送信される音声信号を音声として出力する。マイク８は、利用者等の音声を音声信号へ変換してコントローラ１０へ送信する。なお、スマートフォン１は、レシーバ７に加えて、スピーカをさらに有してもよい。スマートフォン１は、レシーバ７に代えて、スピーカをさらに有してもよい。
【００３２】
カメラ１２は、フロントフェイス１Ａに面している物体を撮影するインカメラである。カメラ１３は、バックフェイス１Ｂに面している物体を撮影するアウトカメラである。
【００３３】
外部インターフェイス１４は、他の装置が接続される端子である。外部インターフェイス１４は、ＵＳＢ（Ｕｎｉｖｅｒｓａｌ  Ｓｅｒｉａｌ  Ｂｕｓ）、ＨＤＭＩ（Ｈｉｇｈ−Ｄｅｆｉｎｉｔｉｏｎ  Ｍｕｌｔｉｍｅｄｉａ  Ｉｎｔｅｒｆａｃｅ）、ＭＨＬ（Ｍｏｂｉｌｅ  Ｈｉｇｈ−ｄｅｆｉｎｉｔｉｏｎ  Ｌｉｎｋ）、ライトピーク（サンダーボルト）、イヤホンマイクコネクタのような汎用的な端子であってもよい。外部インターフェイス１４は、Ｄｏｃｋコネクタのような専用に設計された端子でもよい。
【００３４】
本実施例に係るスマートフォン１は、外部インターフェイス１４を利用して外部機器と接続されている状態において、外部機器を操作するための信号が競合しないように制御する。以下に、具体的な構成について説明する。
【００３５】
スマートフォン１は、図３に示すように、外部インターフェイス１４と、制御部２１とを備える。
外部インターフェイス１４は、所定の信号伝送用規格（映像信号及び音声信号の伝送用規格）に準拠しており、外部機器に接続される。所定の信号伝送用規格とは、例えば、ＨＤＭＩ規格又はＭＨＬ規格等である。
本実施例では、図４に示すように、外部機器であるテレビ１０１とスマートフォン１がケーブル１０２で相互に接続されている形態を想定している。また、テレビ１０１のインターフェイスとスマートフォン１の外部インターフェイス１４とは、同一の規格に準拠しているものとして説明するが、これに限られない。
【００３６】
例えば、テレビ１０１のインターフェイスは、ＨＤＭＩ規格に準拠し、スマートフォン１の外部インターフェイス１４は、ＭＨＬ規格に準拠していてもよい。このような構成の場合には、ケーブル１０２は、図５に示すように、ＨＤＭＩとＭＨＬを相互に変換するアダプタ１０２ａを備えており、一方の端子１０２ｂがＨＤＭＩ規格に対応してテレビ１０１に接続され、他方の端子１０２ｃがＭＨＬ規格に対応してスマートフォン１に接続される。
【００３７】
制御部２１は、外部インターフェイス１４が外部機器であるテレビ１０１に接続された場合、テレビ１０１に備えられている所定の通信部により受信した信号にしたがって動作しないようにテレビ１０１を制御する。
【００３８】
本実施例では、所定の通信部とは、例えば、ＩｒＤＡ規格に準拠して赤外線を利用した近距離データ通信を行うものであって、テレビ用のリモートコントローラーから送信されてきた赤外線信号を受信する受信部（以下、リモコン受信部という。）１０１ａであるとして説明するが、これに限られず、Ｂｌｕｅｔｏｏｔｈ（登録商標）規格等に準拠したものでもよい。
【００３９】
スマートフォン１は、テレビ１０１のチャンネルを選局したり、ボリュームをコントロールしたりできるテレビリモコンアプリケーションがインストールされている。スマートフォン１は、当該アプリケーションが起動されると、ディスプレイ２Ａ上に、テレビ１０１を操作するためのＵＩが表示され、当該ＵＩを操作することにより、テレビ１０１をコントロールすることができる。
当該アプリケーションは、スマートフォン１とテレビ１０１を外部インターフェイス１４を介して接続したタイミングで起動される構成でもよい。
【００４０】
このようにして、スマートフォン１は、外部インターフェイス１４を利用してテレビ１０１等の外部機器と接続されている状態においては、リモートコントローラーからテレビ１０１のリモコン受信部１０１ａに対して送信されてきた操作信号を無効とし、スマートフォン１から送信されてきた操作信号を有効にするので、テレビ１０１を操作するための信号が競合しないように制御することができる。
【００４１】
なお、制御部２１は、テレビ１０１に備えられている所定の通信部により受信した信号にしたがって動作しないようにテレビ１０１を制御するために、リモートコントローラーからテレビ１０１のリモコン受信部１０１ａに対して送信されてきた操作信号を無効としてもよいし、リモコン受信部１０１ａをＯＦＦしてもよい。
【００４２】
スマートフォン１は、図３及び４に示すように、所定の通信部と同じ規格に準拠する信号を受信する受信部２２を備える構成でもよい。
所定の通信部とは、上述したように、リモコン受信部１０１ａであるとして説明するが、これに限られず、Ｂｌｕｅｔｏｏｔｈ規格等に準拠したものでもよい。同様に、受信部２２は、リモートコントローラーから送信されてきた赤外線信号を受信する受信部であるとして説明するが、これに限られず、Ｂｌｕｅｔｏｏｔｈ規格等に準拠したものでもよい。なお、図４では、リモコン受信部１０１ａの配置場所は、テレビ１０１の正面の中央になっているが、一例であって、ここに限定されない。同様に、図４では、受信部２２の配置場所は、スマートフォン１の正面の右上になっているが、一例であって、ここに限定されない。
【００４３】
制御部２１は、外部インターフェイス１４が外部機器であるテレビ１０１に接続された場合、テレビ１０１に備えられている所定の通信部により受信した信号にしたがって動作しないようにテレビ１０１を制御し、受信部２２で受信した信号を外部インターフェイス１４を介してテレビ１０１に送信し、当該信号にしたがって動作するようにテレビ１０１を制御する。
【００４４】
このような構成によれば、テレビ１０１とスマートフォン１がＨＤＭＩ規格等によって接続されている場合において、テレビ用のリモートコントローラーから出力された操作信号は、受信部２２によって受信され、外部インターフェイス１４を介して、テレビ１０１に入力される。テレビ１０１は、スマートフォン１から送信されてきた操作信号にしたがって、動作する。
【００４５】
このようにして、スマートフォン１は、外部インターフェイス１４を利用してテレビ１０１等の外部機器と接続されている状態においては、リモートコントローラーからテレビ１０１のリモコン受信部１０１ａに対して送信されてきた操作信号を無効とし、スマートフォン１から送信されてきた操作信号を有効にするので、テレビ１０１を操作するための信号が競合しないように制御することができる。
【００４６】
スマートフォン１は、図３に示すように、外部インターフェイス１４と、受信部２２と、制御部２１とを備える。
外部インターフェイス１４は、所定の信号伝送用規格に準拠しており、外部機器に接続される。所定の信号伝送用規格とは、例えば、ＨＤＭＩ規格又はＭＨＬ規格等である。
【００４７】
受信部２２は、外部機器に備えられている所定の通信部が受信する所定の規格に準拠した信号と、同一の信号を受信する。例えば、受信部２２は、ＩｒＤＡ規格に準拠して赤外線を利用した近距離データ通信を行うものであって、テレビ用のリモートコントローラーから送信されてきた赤外線信号を受信する受信部であるとして説明するが、これに限られず、Ｂｌｕｅｔｏｏｔｈ（登録商標）規格等に準拠したものでもよい。
【００４８】
制御部２１は、外部インターフェイス１４が外部機器に接続された状態において、所定の規格に準拠した信号を送信する信号送信装置から送信された認識用信号を受信部２２で受信できた場合には、所定の通信部により受信した信号にしたがって動作しないように外部機器を制御し、認識用信号を受信部２２で受信できなかった場合には、受信部２２により受信した信号を外部機器に送信しないように制御する。
【００４９】
信号送信装置とは、テレビ用のリモートコントローラーのことである。
認識用信号とは、テレビ用のリモートコントローラーから出力される通常の操作信号（チャンネルを指定するための信号、音量を増減するための信号等）とは異なる信号であって、例えば、「１１１１」を認識させるような信号である。
【００５０】
所定の通信部とは、リモコン受信部１０１ａであるとして説明するが、これに限られず、Ｂｌｕｅｔｏｏｔｈ規格等に準拠したものでもよい。
よって、制御部２１は、外部インターフェイス１４が外部機器であるテレビ１０１に接続された状態において、最初に、受信部２２により受信した信号に基づいて「１１１１」を認識できた場合には、テレビ１０１のリモコン受信部１０１ａにより受信した信号にしたがって動作しないようにテレビ１０１を制御する。
【００５１】
また、制御部２１は、外部インターフェイス１４がテレビ１０１に接続された状態において、最初に、受信部２２により受信した信号に基づいて「１１１１」を認識できず、例えば、「１１１」等を認識した場合には、受信部２２により受信した信号をテレビ１０１に送信しないように制御する。この場合には、テレビ１０１は、通常通り、リモコン受信部１０１ａにより受信した操作信号に基づいて動作する。
【００５２】
このようにして、スマートフォン１は、外部インターフェイス１４を利用してテレビ１０１等の外部機器と接続されている状態において、認識用信号を受信部２２で受信できたかどうかによって、スマートフォン１側の受信部２２と、テレビ１０１側のリモコン受信部１０１ａの有効状態及び無効状態を切り替えることができる。
【００５３】
スマートフォン１は、据え置き型のテレビ１０１に比べて、自在に向きを変えることができるので、例えば、テレビ１０１側のリモコン受信部１０１ａが受信できない角度に受信部２２を向けることができ、リモコン受信部１０１ａにより制限されていた受光範囲を拡張することができる。
【００５４】
なお、スマートフォン１は、テレビ１０１のＯＳＤ（Ｏｎ  Ｓｃｒｅｅｎ  Ｄｉｓｐｌａｙ）の機能を利用して、現在、リモコン受信部１０１ａが有効状態にあるか無効状態にあるかを表示するように制御してもよい。このような構成によれば、ユーザは、一見して、リモートコントローラーをどちらに向けて操作すればよいかが分かる。
【００５５】
また、制御部２１は、リモコン受信部１０１ａにより受信した信号にしたがって動作しないようにテレビ１０１を制御した場合、受信部２２で受信した信号を外部インターフェイス１４を介してテレビ１０１に送信し、当該信号にしたがって動作するようにテレビ１０１を制御する構成でもよい。
【００５６】
このような構成によれば、テレビ１０１とスマートフォン１がＨＤＭＩ規格等によって接続されている場合において、テレビ用のリモートコントローラーから出力された操作信号は、受信部２２によって受信され、外部インターフェイス１４を介して、テレビ１０１に入力される。テレビ１０１は、スマートフォン１から送信されてきた操作信号にしたがって、動作する。
【００５７】
このようにして、スマートフォン１は、外部インターフェイス１４を利用してテレビ１０１等の外部機器と接続されている状態において、リモートコントローラーからテレビ１０１のリモコン受信部１０１ａに対して送信されてきた操作信号を無効とし、スマートフォン１から送信されてきた操作信号を有効にするので、テレビ１０１を操作するための信号が競合しないように制御することができる。
【００５８】
スマートフォン１は、図３に示すように、充電池２３の電圧を監視する監視部２４を備える構成でもよい。
制御部２１は、リモコン受信部１０１ａにより受信した信号にしたがって動作しないようにテレビ１０１を制御した後、監視部２４により監視した充電池２３の電圧が所定の閾値以下になった場合には、リモコン受信部１０１ａにより受信した信号にしたがって動作するようにテレビ１０１を制御し、受信部２２により受信した信号をテレビ１０１に送信しないように制御する。
【００５９】
所定の閾値とは、スマートフォン１がリモートコントローラーの操作信号を受信して、テレビ１０１に出力する程度の電圧がなくなったことを示す値とするが、これに限られない。
【００６０】
このような構成によれば、スマートフォン１は、テレビ１０１とスマートフォン１がＨＤＭＩ規格等によって接続されている場合において、一旦、テレビ１０１に備えられているリモコン受信部１０１ａにより受信した信号にしたがって動作しないようにテレビ１０１を制御した後、充電池２３の電圧が所定の閾値以下になった場合には、再び、通常通り、リモコン受信部１０１ａにより受信した操作信号に基づいて動作するようにテレビ１０１を制御する。
【００６１】
よって、スマートフォン１は、外部インターフェイス１４を利用してテレビ１０１等の外部機器と接続されている状態において、充電池２３の残量に基づいて、スマートフォン１側の受信部２２と、テレビ１０１側のリモコン受信部１０１ａの有効状態及び無効状態を切り替えることができる。
【００６２】
つぎに、スマートフォン１の動作について、図６に示すフローチャートを参照しながら説明する。以下では、外部機器は、テレビ１０１であるとして説明する。
ステップＳＴ１において、制御部２１は、外部インターフェイス１４を介してテレビ１０１が接続されているかどうかを判断する。具体的には、制御部２１は、ＨＤＭＩ規格又はＭＨＬ規格の接続を検出したかどうかによって、外部インターフェイス１４を介してテレビ１０１が接続されているかどうかを判断する。テレビ１０１が接続されていると判断した場合（Ｙｅｓ）には、ステップＳＴ２に進む。テレビ１０１接続されていないと判断した場合（Ｎｏ）には、ステップＳＴ１の工程を繰り返す。
【００６３】
ステップＳＴ２において、制御部２１は、テレビ１０１にリモコン受信部１０１ａの機能をＯＦＦにするように要求する。具体的には、制御部２１は、リモコン受信部１０１ａにより受信した信号にしたがって動作しないようにテレビ１０１を制御する。
【００６４】
ステップＳＴ３において、制御部２１は、リモコン受信部１０１ａの機能がＯＦＦになったかどうかを判断する。制御部２１は、ステップＳＴ２の工程において、テレビ１０１に要求した信号に対する応答信号によって、リモコン受信部１０１ａの機能がＯＦＦになったか否かを判断する。リモコン受信部１０１ａの機能がＯＦＦになっている場合（Ｙｅｓ）には、ステップＳＴ４に進み、リモコン受信部１０１ａの機能がＯＦＦになっていない場合（Ｎｏ）には、ステップＳＴ３の工程を繰り返す。
【００６５】
ステップＳＴ４において、制御部２１は、受信部２２の機能をＯＮに設定する。具体的には、制御部２１は、受信部２２で受信した信号を外部インターフェイス１４を介してテレビ１０１に送信し、当該信号にしたがって動作するようにテレビ１０１を制御する。
【００６６】
ステップＳＴ５において、制御部２１は、監視部２４により監視した充電池２３の電圧が所定の閾値以下になったかどうかを判断する。所定の閾値以下であると判断した場合（Ｙｅｓ）には、ステップＳＴ７に進み、所定の閾値以下ではないと判断した場合（Ｎｏ）には、ステップＳＴ６に進む。
【００６７】
ステップＳＴ６において、制御部２１は、テレビ１０１との接続状態が解除されたかどうかを判断する。接続状態が解除されたと判断した場合（Ｙｅｓ）には、ステップＳＴ１０に進み、接続状態が解除されていないと判断した場合（Ｎｏ）には、ステップＳＴ５に戻る。
【００６８】
ステップＳＴ７において、制御部２１は、テレビ１０１にリモコン受信部１０１ａの機能をＯＮにするように要求する。
ステップＳＴ８において、制御部２１は、リモコン受信部１０１ａの機能がＯＮになったかどうかを判断する。制御部２１は、ステップＳＴ７の工程において、テレビ１０１に要求した信号に対する応答信号によって、リモコン受信部１０１ａの機能がＯＮになったか否かを判断する。リモコン受信部１０１ａの機能がＯＮになっている場合（Ｙｅｓ）には、ステップＳＴ９に進み、リモコン受信部１０１ａの機能がＯＮになっていない場合（Ｎｏ）には、ステップＳＴ８の工程を繰り返す。
【００６９】
ステップＳＴ９において、制御部２１は、受信部２２の機能をＯＦＦに設定し、ステップＳＴ１に戻る。
このようにして、スマートフォン１は、外部インターフェイス１４を利用してテレビ１０１と接続されている状態においては、リモートコントローラーからテレビ１０１のリモコン受信部１０１ａに対して送信されてきた操作信号を無効とし、スマートフォン１から送信されてきた操作信号を有効にするので、テレビ１０１を操作するための信号が競合しないように制御することができる。
【００７０】
ステップＳＴ１０において、テレビ１０１は、接続状態が解除されたことを認識し、自動的にリモコン受信部１０１ａをＯＮにするように制御する。その後、ステップＳＴ９の工程に進む。
【００７１】
また、スマートフォン１は、外部インターフェイス１４を利用してテレビ１０１と接続されている状態において、充電池２３の残量に基づいて、スマートフォン１側の受信部２２と、テレビ１０１側のリモコン受信部１０１ａの有効状態及び無効状態を切り替えることができる。
【００７２】
なお、本実施例では、外部機器をテレビ１０１であるものとして説明したが、着信を報知できる構成であればよく、これに限られない。例えば、外部機器は、ステレオコンポーネント、ＰＣ等が考えられる。
【００７３】
また、本実施例では、主にスマートフォンの構成と動作について説明したが、これに限られず、各構成要素を備え、外部インターフェイスを利用して外部機器と接続されている状態において、外部機器を操作するための信号が競合しないように制御する制御方法、及びプログラムとして構成されてもよい。
【００７４】
さらに、スマートフォンの機能を実現するためのプログラムをコンピュータで読み取り可能な記録媒体に記録して、この記録媒体に記録されたプログラムをコンピュータシステムに読み込ませ、実行することによって実現してもよい。
【００７５】
ここでいう「コンピュータシステム」とは、ＯＳや周辺機器等のハードウェアを含むものとする。また、「コンピュータで読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。
【００７６】
さらに「コンピュータで読み取り可能な記録媒体」とは、インターネット等のネットワークや電話回線等の通信回線を介してプログラムを送信する場合の通信線のように、短時刻の間、動的にプログラムを保持するもの、その場合のサーバやクライアントとなるコンピュータシステム内部の揮発性メモリのように、一定時刻プログラムを保持しているものも含んでもよい。また、上記プログラムは、前述した機能の一部を実現するためのものであってもよく、さらに前述した機能をコンピュータシステムにすでに記録されているプログラムとの組み合わせで実現できるものであってもよい。
【００７７】
また、本実施例では、外部インターフェイス（接続部）１４は、他の装置が接続される端子であるとして説明したが、本発明はこれに限定されず、外部インターフェイス（接続部）は、ブルートゥース（登録商標）、ＷｉＦｉ（登録商標）等の無線通信規格に準拠する無線インターフェイスであってもよい。したがって、本願発明の電子機器は、外部機器と無線通信規格に準拠する無線通信により通信可能に接続されていてもよい。
【符号の説明】
【００７８】
１  スマートフォン
２Ａ  ディスプレイ
１４  外部インターフェイス
２１  制御部
２２  受信部
２３  充電池
２４  監視部
【図１】
2014078810.tif 000003
【図２】
2014078810.tif 000004
【図３】
2014078810.tif 000005
【図４】
2014078810.tif 000006
【図５】
2014078810.tif 000007
【図６】
2014078810.tif 000008